(57)【特許請求の範囲】
【請求項１】
電池セルの積層体が収納される樹脂製の収納部と、
前記収納部を形成する側壁に対して一体に配設され、長さ方向に配列された繊維に樹脂を含浸させることにより形成された繊維テープと、を有し、
前記側壁は、前記電池セルの積層方向に沿った方向に立設された第１側壁と、前記第１側壁と連続するとともに前記電池セルの積層方向と交差する方向に立設され、前記電池セルの積層体を積層方向の両端から挟持して加圧状態で保持する第２側壁及び第３側壁と、を含み、
前記繊維テープは、前記第２側壁から前記第１側壁を介して前記第３側壁に跨って配設されることを特徴とする電池ケース。
【請求項２】
前記収納部は、前記繊維テープを金型に配置した状態で樹脂を注入するインサート成形により前記繊維テープと一体に成形されることを特徴とする請求項１に記載の電池ケース。
【請求項３】
前記繊維テープに含浸された樹脂と、前記収納部を形成する樹脂は同一種類であることを特徴とする請求項１又は請求項２に記載の電池ケース。
【請求項４】
前記収納部は、少なくとも一方向が開口され、
前記繊維テープは、前記側壁の開口端に沿って配設されることを特徴とする請求項１乃至請求項３のいずれかに記載の電池ケース。
【請求項５】
前記収納部として第１収納部と前記第１収納部に隣接する第２収納部を有し、
前記第１収納部と前記第２収納部における前記電池セルの積層方向は同一方向であって、
前記第１収納部と前記第２収納部の間に、前記第１収納部の前記第１側壁と前記第２収納部の前記第１側壁が一体に立設されることを特徴とする請求項１乃至請求項４のいずれかに記載の電池ケース。
【請求項６】
前記第１収納部の前記第２側壁から前記第２収納部の前記第２側壁、及び又は前記第１収納部の前記第３側壁から前記第２収納部の前記第３側壁に跨って前記繊維テープを配設することを特徴とする請求項５に記載の電池ケース。
【発明の詳細な説明】
【技術分野】
【０００１】
本発明は、電池セルの積層体が収納される電池ケースに関する。
【背景技術】
【０００２】
近年においては、エンジンを駆動源とするガソリン車以外にもバッテリから供給される電力に基づいて駆動されるモータを駆動源とする電気自動車や、モータとエンジンを駆動源とするハイブリッド車両等が存在する。このようなモータを駆動源する電気自動車やハイブリッド車両の電源としては、設置スペースが制限される上に高電圧及び高エネルギー容量が要求されることから、複数の電池セルを積層した状態で電池ケースに収納した電池モジュールが用いられている。
【０００３】
また、上記電池セルは加圧した状態で用いることによって電池性能が向上することが知られている。そこで、特開２０１０−２４４８９４号公報には、積層した複数の電池セルを結束バンドで外部から締め付けることによって、個々の電池セルを加圧した状態で積層する技術について提案されている。
【先行技術文献】
【特許文献】
【０００４】
【特許文献１】特開２０１０−２４４８９４号公報
【発明の概要】
【発明が解決しようとする課題】
【０００５】
しかしながら、上記特許文献１の技術では、電池セルを積層した上で、積層した電池セルに対して結束バンドを新たに組み付ける必要があるので、製造工程が複雑となる問題があった。また、部品数が増加することによってコスト上昇を招く。
【０００６】
一方で、上記結束バンドを用いずに積層した電池セルを圧縮した状態で電池ケースに収納することによって電池ケースからの荷重により加圧する構成も可能であるが、電池ケースが荷重に耐えられずに変形し、加圧値が低下する問題があった。また、電池ケースの破損を招く虞もある。
【０００７】
本発明は前記従来における問題点を解消するためになされたものであり、電池モジュールの製造工程が複雑になることなく、電池セルを継続して加圧状態とすることを可能にした電池ケースを提供することを目的とする。
【課題を解決するための手段】
【０００８】
本発明の一側面に係る電池ケースは、電池セルの積層体が収納される樹脂製の収納部と、前記収納部を形成する側壁に対して一体に配設され、長さ方向に配列された繊維に樹脂を含浸させることにより形成された繊維テープと、を有し、前記側壁は、前記電池セルの積層方向に沿った方向に立設された第１側壁と、前記第１側壁と連続するとともに前記電池セルの積層方向とする交差方向に立設され、前記電池セルの積層体を積層方向の両端から挟持して加圧状態で保持する第２側壁及び第３側壁と、を含み、前記繊維テープは、前記第２側壁から前記第１側壁を介して前記第３側壁に跨って配設されることを特徴とする。
【０００９】
上記構成を有する電池ケースによれば、収納部に対して繊維テープを配設することによって、電池セルの積層方向の荷重に対する収納部の強度を飛躍的に向上させることが可能となる。その結果、収納部に積層して収納された電池セルを継続して加圧状態とすることが可能となり、電池セルの電池性能を向上させることができる。また、電池セルの膨張を抑制する効果もある。更に、従来と比較して結束バンド等の電池セルを加圧する為の部品を別途組み付ける必要が無いので、電池モジュールの製造工程が複雑となることを防止できる。また、部品数も削減できコスト削減の効果も期待できる。
【００１０】
また、本発明の他の側面に係る電池ケースでは、前記収納部が、前記繊維テープを金型に配置した状態で樹脂を注入するインサート成形により前記繊維テープと一体に成形されることを特徴とする。
【００１１】
上記構成を有する電池ケースによれば、インサート成形を用いることによって繊維テープと収納部を確実に融着させ、繊維テープによる電池ケースの強度向上の効果を十分に発揮させることが可能となる。
【００１２】
また、本発明の他の側面に係る電池ケースでは、前記繊維テープに含浸された樹脂と、前記収納部を形成する樹脂は同一種類であることを特徴とする。
【００１３】
上記構成を有する電池ケースによれば、繊維テープに含浸された樹脂と収納部を形成する樹脂とを同一種類とすることによって、繊維テープと収納部を確実に融着させ、繊維テープによる電池ケースの強度向上の効果を十分に発揮させることが可能となる。
【００１４】
また、本発明の他の側面に係る電池ケースでは、前記収納部は、少なくとも一方向が開口され、前記繊維テープは、前記側壁の開口端に沿って配設されることを特徴とする。
【００１５】
上記構成を有する電池ケースによれば、側壁の開口端に沿って繊維テープを配設することによって、収容部内に電池セルを収納した際に最も変形のし易い箇所を繊維テープによって補強できるので、収容部の変形を確実に抑えることが可能となる。
【００１６】
また、本発明の他の側面に係る電池ケースでは、前記収納部として第１収納部と前記第１収納部に隣接する第２収納部を有し、前記第１収納部と前記第２収納部における前記電池セルの積層方向は同一方向であって、前記第１収納部と前記第２収納部の間に、前記第１収納部の前記第１側壁と前記第２収納部の前記第１側壁が一体に立設されることを特徴とする。
【００１７】
上記構成を有する電池ケースによれば、電池モジュールの高エネルギー容量化を実現する為に、電池セルを収容する為の収容部を複数設けた場合であっても、繊維テープの使用量を抑えつつ電池セルの積層方向の荷重に対する各収納部の強度を飛躍的に向上させることが可能となる。また、繊維テープが配設される第１側壁を各収納部で共通化することによって電池モジュールの小型化も実現できる。
【００１８】
また、本発明の他の側面に係る電池ケースでは、前記第１収納部の前記第２側壁から前記第２収納部の前記第２側壁、及び又は前記第１収納部の前記第３側壁から前記第２収納部の前記第３側壁に跨って前記繊維テープを配設することを特徴とする請求項５に記載の電池ケース。
【００１９】
上記構成を有する電池ケースによれば、複数の収容部の側壁に跨って配設される繊維テープを追加することによって、各収納部の強度を更に向上させることが可能となる。
【発明の効果】
【００２０】
本発明に係る電池ケースによれば、収納部に対して繊維テープを配設することによって、電池セルの積層方向の荷重に対する収納部の強度を飛躍的に向上させることが可能となる。その結果、収納部に積層して収納された電池セルを継続して加圧状態とすることが可能となり、電池セルの電池性能を向上させることができる。また、電池セルの膨張を抑制する効果もある。更に、従来と比較して結束バンド等の電池セルを加圧する為の部品を別途組み付ける必要が無いので、電池モジュールの製造工程が複雑となることを防止できる。また、部品数も削減できコスト削減の効果も期待できる。
【図面の簡単な説明】
【００２１】
【図１】第１実施形態に係る電池ケースについて電池セルが挿入された状態の全体構成を示した斜視図である。
【図２】第１実施形態に係る電池ケースについて電池セルが未挿入の状態の全体構成を示した斜視図である。
【図３】第１実施形態に係る電池ケースについて電池セルが未挿入の状態の全体構成を示した上面図である。
【図４】図３の線Ｘ−Ｘで電池ケースを切断した矢視断面図である。
【図５】第１実施形態に係る電池ケースについて、特にＵＤテープの配置態様を示した模式図である。
【図６】第１収納部及び第２収納部に対する電池セルの挿入工程を示した説明図である。
【図７】ＵＤテープによる第１収納部及び第２収納部の強度向上の仕組みを説明した説明図である。
【図８】ＵＤテープを配置した本実施例に係る電池ケースと、ＵＤテープを配置しない比較例の電池ケースとに対して、電池セルの積層方向に荷重をかけた場合における荷重値と側壁の変位量との関係を示した図である。
【図９】第２実施形態に係る電池ケースについて、特にＵＤテープの配置態様を示した模式図である。
【図１０】第３実施形態に係る電池ケースについて、特にＵＤテープの配置態様を示した模式図である。
【００２２】
以下、本発明に係る電池ケースを具現化した第１乃至第３実施形態について図面を参照して具体的に説明する。ここで、本発明に係る電池ケースは、複数個の電池セルを積層して収納する為の収納ケースである。電池ケースは、例えば電気自動車やハイブリッド車両の車体下方のスペースに配置され、電池セルや電圧回路とともに電気自動車やハイブリッド車両の電源となる電池モジュールの一部を構成する。但し、電池ケースは電気自動車やハイブリッド車両の電池モジュールとしての利用に限られることなく、電源を必要とする各種電子機器や駆動装置の電池モジュールとしても利用可能である。
【００２３】
［第１実施形態］
先ず、第１実施形態に係る電池ケース１の全体構成について図１乃至図４に基づき説明する。図１は、第１実施形態に係る電池ケース１について電池セル２が挿入された状態の全体構成を示した斜視図である。図２は、第１実施形態に係る電池ケース１について電池セル２が未挿入の状態の全体構成を示した斜視図である。図３は、第１実施形態に係る電池ケース１について電池セル２が未挿入の状態の全体構成を示した上面図である。図４は図３の線Ｘ−Ｘで電池ケース１を切断した矢視断面図である。尚、電池ケース１には、電池セル２を内部に収納した後に上部を覆う蓋が取り付けられるが、電池ケース１の内部を図示する為に蓋については省略する。
【００２４】
図１乃至図４に示すように、電池ケース１は、複数の電池セル２がそれぞれ収納される第１収納部３及び第２収納部４と、不図示の電圧回路が収納される回路収納部５と、電池ケース１を補強する為の繊維テープであるＵＤ(Uni-Directional)テープ６、７とを有する。
【００２５】
ここで、第１収納部３、第２収納部４及び回路収納部５は、ナイロン６（ＰＡ６）により一体成形された樹脂製の成形体である。また、第１収納部３及び第２収納部４は、複数個（例えば図１に示す例では１３個）の電池セル２が同一方向に積層して収納される収納部であり、第１収納部３と第２収納部４は、図１に示すように電池セル２の積層方向Ｙが平行となるように並列に配置される。尚、以下に説明する第１実施形態の電池ケース１では、電池セル２を収納する収納部として第１収納部３及び第２収納部４の２個の収納部を設けているが、収納部の数は収納する電池セル２の数に応じて１個又は３個以上とすることも可能である。
【００２６】
次に、第１収納部３、第２収納部４の構成についてより詳細に説明する。尚、第１収納部３と第２収納部４は基本的に左右対称で同一の構成を有する。
【００２７】
図２乃至図４に示すように、第１収納部３は、電池ケース１の底を形成する底面板１０と、底面板１０に対して立設された第１側壁１１、第２側壁１２、第３側壁１３及び第４側壁１４とによって囲まれた空間からなり、底面板１０と対向する面は開口されている。そして、開口された箇所から電池セル２が第１収納部３に収納され、その後に蓋によって開口は閉鎖される。また、収納された電池セル２の電極は蓋に設けられた端子及び配線を介して回路収納部５に収納された電圧回路へと接続される。
【００２８】
同じく第２収納部４は、電池ケース１の底を形成する底面板１５と、底面板１５に対して立設された第１側壁１１、第２側壁１６、第３側壁１７及び第４側壁１８とによって囲まれた空間からなり、底面板１５と対向する面は開口されている。尚、第１実施形態に係る電池ケース１では、第１収納部３の第１側壁１１と第２収納部４の第１側壁１１とは一体（共通の側壁）とするが、それぞれ別体に設けても良い。
【００２９】
ここで、第１側壁１１は、並列して配置された第１収納部３と第２収納部４の境界を形成するリブであって電池セル２の積層方向に沿った方向に立設される。また、第２側壁１２、１６及び第３側壁１３、１７は、第１側壁１１の端部と連続するとともに電池セル２の積層方向と交差する方向に立設され、電池セル２の積層体を積層方向の両端から挟持する。また、第４側壁１４、１８は、電池ケース１の外壁を形成するとともに電池セル２の積層方向に沿った方向に立設される。また、第１側壁１１と第４側壁１４、１８は対向して配置され、第２側壁１２、１６と第３側壁１３、１７は対向して配置される。
【００３０】
また、ＵＤテープ６、７は、一方向性の連続繊維を含む強化繊維テープである。具体的には、長さ方向に配列された繊維に樹脂を含浸させることにより形成される。第１実施形態では特に繊維に含浸される樹脂を、第１収納部３及び第２収納部４を形成する樹脂と同一種類であるナイロン６とする。また、ＵＤテープ６、７は、第１収納部３及び第２収納部４を形成する側壁に対して一体に配設される。具体的には、ＵＤテープ６が第１収納部３の第２側壁１２から第１側壁１１を介して第３側壁１３に跨ってコの字状に配設される。また、ＵＤテープ７が、第２収納部４の第２側壁１６から第１側壁１１を介して第３側壁１７に跨って同じくコの字状に配設される。
【００３１】
尚、第１収納部３の第１側壁１１と第２収納部４の第１側壁１１とは一体に立設されるので、第１側壁１１では第１収納部３に対して配設されたＵＤテープ６と、第２収納部４に対して配設されたＵＤテープ７とが重複して配置される。また、ＵＤテープ６、７は、図４に示すように側壁の開口端１９に沿ってそれぞれ配設される。また、ＵＤテープ６、７の幅Ｄは電池ケース１の形状に応じて適宜設定可能であるが、基本的に幅Ｄが大きい程、ＵＤテープ６、７による電池ケース１の強度の向上が期待できる。例えば、側壁の高さの１／２以上とするのが望ましい。
【００３２】
また、ＵＤテープ６、７の長さは、第１側壁１１の長さよりも長くする必要がある。具体的には、図５に示すようにＵＤテープ６、７の長さは、第１側壁１１の長さＬ１に加えて、第２側壁１２、１６に沿って配置する長さＬ２と第３側壁１３、１７に沿って配置する長さＬ３とを加えた長さとなる。尚、長さＬ２はＵＤテープ６、７と第２側壁１２、１６とを十分に融着させるのに必要な長さとし、例えば第２側壁１２、１６の長さの１／４以上とする。また、同じく長さＬ３はＵＤテープ６、７と第３側壁１３、１７とを十分に融着させるのに必要な長さとし、例えば第３側壁１３、１７の長さの１／４以上とする。尚、Ｌ２及びＬ３は基本的に長い程、ＵＤテープ６、７による電池ケース１の強度の向上が期待できるが、必要とする長さ以上に長くしたとしても大きな強度の向上は期待できないので、Ｌ２は第２側壁１２、１６の長さの１／４程度、Ｌ３は第３側壁１３、１７の長さの１／４程度とするのが望ましい。
【００３３】
また、第１収納部３及び第２収納部４は、ＵＤテープ６、７を金型に配置した状態で樹脂を注入するインサート成形によりＵＤテープ６、７と一体に成形される。また、ＵＤテープ６とＵＤテープ７とは、第１側壁１１に沿って配置される区間、即ちＵＤテープ６とＵＤテープ７とが隣接して配置される区間について成形前に予め融着させておいても良いし、成形時にＵＤテープ６とＵＤテープ７との間に樹脂を流動させることによって、ＵＤテープ６とＵＤテープ７とを互いに融着させる構成としても良い。また、ＵＤテープ６、７において繊維に含浸させる樹脂と、第１収納部３及び第２収納部４を形成する樹脂とを同一種類とすることによって、インサート成形において第１収納部３及び第２収納部４とＵＤテープ６、７とを十分に融着させることが可能となる。更に、インサート成形を行う際には、ＵＤテープ６、７の表面温度を樹脂の種類に応じた温度（例えばＰＡ６では１２０℃）に上昇させた状態でインサート成形を行うことが望ましい。それによって、第１収納部３及び第２収納部４とＵＤテープ６、７との融着をより確実に行うことが可能となる。
【００３４】
また、上記構成を有する第１収納部３及び第２収納部４に対して電池セル２を挿入する際には、図６に示すように電池セル２を積層し、且つ積層方向Ｙに圧縮した状態で第１収納部３及び第２収納部４に対して挿入する。その結果、第１収納部３に積層して収納された電池セル２を第２側壁１２及び第３側壁１３によって継続して加圧状態とし、第２収納部４に積層して収納された電池セル２を第２側壁１６及び第３側壁１７によって継続して加圧状態とすることが可能となり、電池セル２の電池性能を向上させることができる。また、電池セル２の膨張を抑制する効果もある。ここで、上述したように電池セル２を圧縮した状態で第１収納部３及び第２収納部４に収納する構成とすると、電池ケース１が荷重に耐えられずに変形し、加圧値が低下する問題があるが、第１実施形態に係る電池ケース１では、ＵＤテープ６を第１収納部３及び第２収納部４と一体に配置することによって、電池セル２の積層方向Ｙの荷重に対する第１収納部３及び第２収納部４の強度を飛躍的に向上させ、この問題を解消することが可能となる。
【００３５】
具体的には、図７に示すように第２側壁１２及び第３側壁１３に対して、電池セル２の積層方向Ｙに荷重がかかると、第２側壁１２及び第３側壁１３と一体成型されたＵＤテープ６の引張荷重に転化することが可能となる。同じく、第２側壁１６及び第３側壁１７に対して、電池セル２の積層方向Ｙに荷重がかかると、第２側壁１６及び第３側壁１７と一体成型されたＵＤテープ７の引張荷重に転化することが可能となる。そして、ＵＤテープ６、７は前記したように長さ方向に繊維が配列されたテープであるので、長さ方向に対して強い引張強度を有する。従って、電池セル２の積層方向Ｙの荷重に対する第１収納部３及び第２収納部４の強度を向上させることが可能となる。更に、ＵＤテープ６、７は、前記したように側壁の開口端１９に沿って配設されるので、第１収納部３及び第２収納部４に電池セル２を収納した際に最も変形のし易い開口端１９をＵＤテープ６、７によって補強することが可能となる。
【００３６】
ここで、図８はＵＤテープ６、７を配置した本実施例に係る電池ケース１と、ＵＤテープ６、７を配置しない比較例の電池ケースとに対して、電池セル２の積層方向Ｙに荷重をかけた場合における荷重値と第２側壁１２及び第３側壁１３の変位量の合計値との関係を示した図である。図８に示すように、ＵＤテープ６、７を配置した本実施例に係る電池ケース１は、ＵＤテープ６、７を配置しない比較例に係る電池ケースと比較して、同じ荷重をかけた場合であっても第２側壁１２及び第３側壁１３の変位量が少なくなる。即ち、ＵＤテープ６を第１収納部３及び第２収納部４と一体に配置することによって、電池セル２の積層方向Ｙの荷重に対する第１収納部３及び第２収納部４の強度が向上していることが分かる。
【００３７】
以上説明したように第１実施形態に係る電池ケース１は、電池セル２の積層体が収納される樹脂製の第１収納部３及び第２収納部４と、第１収納部３を形成する第１側壁１１、第２側壁１２及び第３側壁１３に対して一体に配設されたＵＤテープ６と、第２収納部４を形成する第１側壁１１、第２側壁１６及び第３側壁１７に対して一体に配設されたＵＤテープ７とを有し、ＵＤテープ６、７は、特に第２側壁１２、１６から第１側壁１１を介して第３側壁１３、１７に跨って配設される。それによって、電池セル２の積層方向Ｙの荷重に対する第１収納部３及び第２収納部４の強度を飛躍的に向上させることが可能となる。その結果、電池セル２を圧縮して第１収納部３及び第２収納部４に収納した場合に、収納された電池セル２を継続して加圧状態とすることが可能となり、電池セル２の電池性能を向上させることができる。また、電池セル２の膨張を抑制する効果もある。更に、従来と比較して結束バンド等の電池セル２を加圧する為の部品を別途組み付ける必要が無いので、電池モジュールの製造工程が複雑となることを防止できる。また、部品数も削減できコスト削減の効果も期待できる。
また、第１実施形態に係る電池ケース１は、第１収納部３及び第２収納部４が、ＵＤテープ６、７を金型に配置した状態で樹脂を注入するインサート成形によりＵＤテープ６、７と一体に成形されるので、ＵＤテープ６、７と第１収納部３及び第２収納部４を確実に融着させ、ＵＤテープ６、７による電池ケース１の強度向上の効果を十分に発揮させることが可能となる。
また、ＵＤテープ６、７に含浸された樹脂と、第１収納部３及び第２収納部４を形成する樹脂とを同一種類とすることによって、ＵＤテープ６、７と第１収納部３及び第２収納部４を確実に融着させ、ＵＤテープ６、７による電池ケース１の強度向上の効果を十分に発揮させることが可能となる。
また、第１収納部３及び第２収納部４は、少なくとも一方向が開口され、ＵＤテープ６、７は、側壁の開口端１９に沿って配設されるので、第１収納部３及び第２収納部４内に電池セル２を収納した際に最も変形のし易い箇所をＵＤテープ６、７によって補強でき、第１収納部３及び第２収納部４の変形を確実に抑えることが可能となる。
電池セル２の収納部として第１収納部３と第１収納部３に隣接する第２収納部４を有し、第１収納部３と第２収納部４における電池セル２の積層方向Ｙは同一方向であって、第１収納部３と第２収納部４の間に、第１収納部３の第１側壁１１と第２収納部４の第１側壁１１が一体に立設されるので、電池モジュールの高エネルギー容量化を実現する為に、電池セル２を収容する為の収容部を複数設けた場合であっても、ＵＤテープ６、７の使用量を抑えつつ電池セル２の積層方向Ｙの荷重に対する各収納部の強度を飛躍的に向上させることが可能となる。また、ＵＤテープ６、７が配設される第１側壁１１を各収納部で共通化することによって電池モジュールの小型化も実現できる。
【００３８】
［第２実施形態］
次に、第２実施形態に係る電池ケース２１について図９に基づき説明する。図９は、第２実施形態に係る電池ケース２１について、特にＵＤテープの配置態様を示した模式図である。尚、以下の説明において上記図１乃至図８の第１実施形態に係る電池ケース１の構成と同一符号は、前記第１実施形態に係る電池ケース１等の構成と同一あるいは相当部分を示すものである。
【００３９】
この第２実施形態に係る電池ケース２１の概略構成は、第１実施形態に係る電池ケース１とほぼ同じ構成である。但し、第２実施形態に係る電池ケース２１では、第２側壁１２から第１側壁１１を介して第３側壁１３に跨って配設されるＵＤテープ６と、第２側壁１６から第１側壁１１を介して第３側壁１７に跨って配設されるＵＤテープ７とに加えて、第１収納部３の第２側壁１２から第２収納部４の第２側壁１６に跨る位置と、第１収納部３の第３側壁１３から第２収納部４の第３側壁１７に跨る位置についてもＵＤテープを追加配設する点で異なっている。
【００４０】
図９に示すように、第２実施形態に係る電池ケース２１では、第１収納部３の第２側壁１２から第２収納部４の第２側壁１６に跨る位置にＵＤテープ２２が配設される。同じく第１収納部３の第３側壁１３から第２収納部４の第３側壁１７に跨る位置についてもＵＤテープ２３が配設される。前述したように第２側壁１２、１６及び第３側壁１３、１７に対して、電池セル２の積層方向Ｙに荷重がかかると、ＵＤテープ６、７の引張荷重に転化することが可能となるが（図７参照）、第２実施形態に係る電池ケース２１ではＵＤテープ２２及びＵＤテープ２３を追加配設することによって、ＵＤテープ６、７の引張荷重に対する強度をさらに向上することが可能となる。尚、ＵＤテープ２２とＵＤテープ２３はいずれか一方のみを配設することも可能であるが、電池ケース２１の強度をより向上させるという目的から両方に配設することが望ましい。
【００４１】
また、ＵＤテープ２２、２３は、第１収納部３及び第２収納部４を形成する側壁に対してＵＤテープ６、７とともに一体に配設されるように構成しても良いし、ＵＤテープ２２、２３を成形後の第１収納部３及び第２収納部４に対して外部から張り付ける構成としても良い。尚、一体に配設する場合には、例えば第１収納部３及び第２収納部４は、ＵＤテープ６、７、２２、２３を金型に配置した状態で樹脂を注入するインサート成形によりＵＤテープ６、７、２２、２３と一体に成形する。また、ＵＤテープ６、７とＵＤテープ２２、２３とは、隣接して配置される区間について成形前に予め融着させておいても良いし、成形時にＵＤテープ６、７とＵＤテープ２２、２３との間に樹脂を流動させることによって、ＵＤテープ６、７とＵＤテープ２２、２３とを互いに融着させる構成としても良い。
【００４２】
以上説明したように第２実施形態に係る電池ケース２１は、第１収納部３の第２側壁１２から第２収納部４の第２側壁１６に跨ってＵＤテープ２２を追加して配設し、第１収納部３の第３側壁１３から第２収納部４の第３側壁１７に跨ってＵＤテープ２３を追加して配設するので、第１収納部３と第２収納部４の側壁に跨って配設されるＵＤテープ２２、２３によって各収納部の強度を更に向上させることが可能となる。
【００４３】
［第３実施形態］
次に、第３実施形態に係る電池ケース３１について図１０に基づき説明する。図１０は、第３実施形態に係る電池ケース３１について、特にＵＤテープの配置態様を示した模式図である。尚、以下の説明において上記図１乃至図８の第１実施形態に係る電池ケース１の構成と同一符号は、前記第１実施形態に係る電池ケース１等の構成と同一あるいは相当部分を示すものである。
【００４４】
この第３実施形態に係る電池ケース３１の概略構成は、第１実施形態に係る電池ケース１とほぼ同じ構成である。但し、第３実施形態に係る電池ケース２１では、電池セル２が収納される収納部として第１収納部３のみを有する点で異なっている。
【００４５】
図１０に示すように、第３実施形態に係る電池ケース３１では、第２側壁１２から第１側壁１１を介して第３側壁１３に跨ってＵＤテープ３２が配置される。尚、第２側壁１２から第４側壁１４を介して第３側壁１３に跨ってＵＤテープ３２を配置しても良い。その場合でも同様に電池ケース２１の強度を向上させるという効果が得られる。
【００４６】
更に、第２側壁１２から第１側壁１１を介して第３側壁１３に跨る位置と、第２側壁１２から第４側壁１４を介して第３側壁１３に跨る位置のそれぞれにＵＤテープ３２を配置しても良い。その場合には、電池ケース２１の強度を向上させるという点でより顕著な効果を得ることが可能となる。
【００４７】
また、第１収納部３は、第１実施形態と同様にＵＤテープ３２を金型に配置した状態で樹脂を注入するインサート成形によりＵＤテープ３２と一体に成形される。
【００４８】
以上説明したように第３実施形態に係る電池ケース３１は、収納部が単数の第１収納部３のみからなる場合であっても、第１収納部３の側壁に跨って配設されるＵＤテープ３２によって、第１収納部３の強度を向上させることが可能となる。
【００４９】
尚、本発明は前記実施形態に限定されるものではなく、本発明の要旨を逸脱しない範囲内で種々の改良、変形が可能であることは勿論である。
例えば、第１乃至第３実施形態では、第１収納部３及び第２収納部４を形成する樹脂として特にナイロン６（ＰＡ６）を用いているが、ナイロン６以外の樹脂としても良い。
【００５０】
また、第１乃至第３実施形態では、第１収納部３及び第２収納部４を形成する樹脂と、ＵＤテープ６、７、２、２３、３２の繊維に含浸される樹脂とを同一種類としているが、ＵＤテープ６、７、２、２３、３２と第１収納部３及び第２収納部４との融着効果が十分に得られるのであれば、異なる種類の樹脂としても良い。
【００５１】
また、第１及び第２実施形態では、電池セル２の積層方向Ｙに沿ってＵＤテープ６、７を配設する側壁を、第１収納部３と第２収納部４の間に立設される第１側壁１１としているが、第１側壁１１の代わりに電池ケース１の外壁となる第４側壁１４、１８に配設しても良い。但し、ＵＤテープ６、７を第１収納部３と第２収納部４の間に立設する第１側壁１１（即ち中央リブ）に対して配設した方が、電池ケースの強度向上の効果はより大きくなる。
【符号の説明】
【００５２】
１          電池ケース
２          電池セル
３          第１収納部
４          第２収納部
６、７      ＵＤテープ
１０、１５  底面板
１１        第１側壁
１２、１６  第２側壁
１３、１７  第３側壁
１４、１８  第４側壁
１９        開口端
【図１】
0006646427.tif 000002
【図２】
0006646427.tif 000003
【図３】
0006646427.tif 000004
【図４】
0006646427.tif 000005
【図５】
0006646427.tif 000006
【図６】
0006646427.tif 000007
【図７】
0006646427.tif 000008
【図８】
0006646427.tif 000009
【図９】
0006646427.tif 000010
【図１０】
0006646427.tif 000011